(57)【要約】      （修正有）【課題】作業効率の向上と安全を図るための簡易ステップを提供する。【解決手段】簡易ステップは、縦パイプ１２及び横パイプ１３を備えた枠組み１１に係脱可能に構成されている。簡易ステップは、踏み板２と、該踏み板の面方向前方の縁部（前方側縁構成部３Ａ）から前方に突出して設けられて横パイプを係止する係止部４と、縦パイプの踏み板より下側の位置に当接することで、踏み板を支持する支持部７と、を備えている。【選択図】図２
0003204520.tif 000002
【実用新案登録請求の範囲】
【請求項１】
縦パイプ及び横パイプを備えた枠組みに係脱可能に構成された簡易ステップであって、
踏み板と、
該踏み板の面方向前方の縁部から前方に突出して設けられて前記横パイプを係止する係止部と、
前記踏み板から下側かつ前方に傾斜して延びて前記縦パイプに当接することで、前記踏み板を支持する支持部と、を備えたことを特徴とする簡易ステップ。
【請求項２】
前記支持部は、前記踏み板に対して分離可能に構成されていることを特徴とする請求項１に記載の簡易ステップ。
【請求項３】
前記踏み板と前記支持部とを固定するためのピン固定構造を備え、
前記ピン固定構造が、フック状のピン材と、該ピン材を付勢するコイルばねと、を有して構成され、前記ピン材が、互いに平行に設けられた短尺部及び長尺部と、前記短尺部と前記長尺部とを連結する連結部と、を備え、
前記踏み板には、左右方向の中央部に前記踏み板の面方向に延在するコ字状の補強部材が設けられ、
前記支持部には、前記補強部材の対向する壁部の両外側面に対向する一対の対向板が設けられ、
前記両外側面のうち一方に前記一対の対向板のうち一方を重ねて重なり部が構成され、
前記短尺部が前記重なり部を貫通し、
前記長尺部が前記補強部材を貫通し、前記長尺部の前記補強部材から突出した先端部分には、前記コイルばねが装着されて、前記コイルばねが、前記短尺部の先端を前記連結部から離れる方向に付勢していることを特徴とする請求項２に記載の簡易ステップ。
【請求項４】
前記踏み板が、四角形状に設けられ、
前記支持部が、前記踏み板より下側の位置で前記縦パイプに当接するパイプ受けと、該パイプ受けを介して各下端が固定され各上端が左右方向に離隔した一対の斜材パイプと、前記一対の斜材パイプの上端に固定されて、前記踏み板の面方向左右の縁部を支持するコ字状の支持金具と、基端部が前記支持金具に固定されるとともに先端部が前記左右の縁部それぞれに形成された貫通孔に進入するＬ字ピンとを備え、
前記支持金具が、前記左右の縁部を進入させる一対の側板と、前記左右の縁部の下面に当接する当接板と、を備え、
前記貫通孔が、前記左右の縁部を左右方向に貫通するものであり、
前記Ｌ字ピンが前記貫通孔に進入した状態で、前記Ｌ字ピンを軸として前記踏み板の面方向後方を上方に回転させた際に、前記支持金具は、前記一対の側板間に前記左右の縁部を進入させつつ、前記当接板に前記左右の縁部の下面を当接させることを特徴とする請求項１乃至請求項３のうち何れか一項に記載の簡易ステップ。
【請求項５】
前記係止部が、前記踏み板の前記前方の縁部の左右の両端部に一対設けられ、
前記踏み板の前記前方の縁部から前記係止部と同じ方向に突出して設けられた位置決め部を備え、
前記支持部が、前記踏み板より下側の位置で前記縦パイプに当接するパイプ受けを備え、
一対の前記係止部が前記横パイプを係止した状態で前記横パイプを軸として前記踏み板及び前記支持部を下方に回転させた際に、前記パイプ受けが前記縦パイプに当接することを特徴とする請求項１乃至請求項４のうち何れか一項に記載の簡易ステップ。
【請求項６】
前記踏み板が、四角形状に設けられ、
前記踏み板は、当該踏み板の面方向後方の縁部から後方に突出して設けられたコ字状の持ち手を有し、
前記持ち手は、前記後方の縁部の左右の中央部に設けられていることを特徴とする請求項１乃至請求項５のうち何れか一項に記載の簡易ステップ。
【請求項７】
縦パイプ及び横パイプを備えた枠組みと、
請求項１乃至請求項６のうち何れか一項に記載の簡易ステップと、を備えたことを特徴とする足場構造。
【考案の詳細な説明】
【技術分野】
【０００１】
本考案は、簡易ステップ及び足場構造に関する。
【背景技術】
【０００２】
建築物の外壁工事や外壁塗装など行う際、建築物の外壁に沿って足場構造が設置されることがある。この足場構造は、複数の支持パイプを建築物の外壁に沿って所定間隔をあけて垂直に固定し、該支持パイプの間に専用のブラケットを介して長方形状の足場板を取付けることによって構築されている（例えば、特許文献１参照）。
【先行技術文献】
【特許文献】
【０００３】
【特許文献１】特開２００５−２６７３号公報
【考案の概要】
【考案が解決しようとする課題】
【０００４】
しかしながら、特許文献１に記載された従来の足場構造は、足場板の長手寸法及び幅寸法に対応した位置に支持パイプを設置する必要があったので、例えば、隣接する建築物の間隔が足場板の幅より狭い場所では、足場構造を組むことができない場合がある。即ち、足場構造を組むためのスペースを確保することができない場合には、足場構造を組まずに、作業員が建築物の外壁工事や外壁塗装などの所定の作業をせざるを得なかった。
【０００５】
本考案の目的は、作業員の足場を確保することで、作業効率の向上と安全を図るための簡易ステップを提供することにある。
【課題を解決するための手段】
【０００６】
上記目的は、以下の本考案によって解決される。
即ち、本考案は、縦パイプ及び横パイプを備えた枠組みに係脱可能に構成された簡易ステップであって、踏み板と、該踏み板の面方向前方の縁部から前方に突出して設けられて横パイプを係止する係止部と、踏み板から下側かつ前方に傾斜して延びて縦パイプに当接することで、踏み板を支持する支持部と、を備えたことを特徴とする簡易ステップである。
【０００７】
本考案においては、支持部は、踏み板に対して組立て、分離可能に構成されていてもよい。
【０００８】
また、本考案においては、踏み板と支持部とを固定するためのピン固定構造を備え、ピン固定構造が、フック状のピン材と、該ピン材を付勢するコイルばねと、を有して構成され、ピン材が、互いに平行に設けられた短尺部及び長尺部と、短尺部と長尺部とを連結する連結部と、を備え、踏み板には、左右方向の中央部に踏み板の面方向に延在するコ字状の補強部材が設けられ、支持部には、補強部材の対向する壁部の両外側面に対向する一対の対向板が設けられ、両外側面のうち一方に一対の対向板のうち一方を重ねて重なり部が構成され、短尺部が重なり部を貫通し、長尺部が補強部材を貫通し、長尺部の補強部材から突出した先端部分には、コイルばねが装着されて、コイルばねが、短尺部の先端を連結部から離れる方向に付勢していてもよい。
【０００９】
さらに、本考案においては、踏み板が、四角形状に設けられ、支持部が、踏み板より下側の位置で縦パイプに当接するパイプ受けと、該パイプ受けを介して各下端が固定され各上端が左右方向に離隔した一対の斜材パイプと、一対の斜材パイプの上端に固定されて、踏み板の面方向左右の縁部を支持するコ字状の支持金具と、基端部が支持金具に固定されるとともに先端部が左右の縁部それぞれに形成された貫通孔に進入するＬ字ピンとを備え、支持金具が、左右の縁部を進入させる一対の側板と、左右の縁部の下面に当接する当接板と、を備え、貫通孔が、左右の縁部を左右方向に貫通するものであり、Ｌ字ピンが貫通孔に進入した状態で、Ｌ字ピンを軸として踏み板の面方向後方を上方に回転させた際に、支持金具は、一対の側板間に左右の縁部を進入させつつ、当接板に左右の縁部の下面を当接させてもよい。
【００１０】
また、本考案においては、係止部が、踏み板の前方の縁部の左右の両端部に一対設けられ、踏み板の前方の縁部から係止部と同じ方向に突出して設けられた位置決め部を備え、支持部が、踏み板より下側の位置で縦パイプに当接するパイプ受けを備え、一対の係止部が横パイプを係止した状態で横パイプを軸として踏み板及び支持部を下方に回転させた際に、パイプ受けが縦パイプに当接していてもよい。
【００１１】
さらに、本考案においては、踏み板が、四角形状に設けられ、踏み板は、当該踏み板の後方の縁部から後方に突出して設けられたコ字状の持ち手を有し、持ち手は、後方の縁部の左右の中央部に設けられていてもよい。
【００１２】
一方、足場構造は、縦パイプ及び横パイプを備えた枠組みと、上記簡易ステップと、を備えていてもよい。
【考案の効果】
【００１３】
本考案の簡易ステップは、踏み板と、該踏み板の面方向前方の縁部から前方に突出して設けられて横パイプを係止する係止部と、踏み板から下側かつ前方に傾斜して延びて縦パイプに当接することで、踏み板を支持する支持部と、を備えている。これにより、横パイプに係止部を係止させ、縦パイプに支持部を当接させる簡単な作業で、踏み板が支持される。即ち、踏み板が支持されることで簡易な足場を得ることができる。これにより、従来技術の足場構造を組むためのスペースが確保できない場合であっても、縦パイプ及び横パイプから成る枠組みに簡易ステップを係止する（組み付ける）ことで、作業員の足場を確保することができる。こうして、作業員の足場が安定するから、作業効率の向上と安全を図ることができる。
【００１４】
また、簡易ステップが、作業員が片手で持つことが可能な重さかつ一人の作業員が乗れる程度の大きさになるように構成されていてもよい。これによれば、作業員による持ち運びが可能となり、利便性の向上を図ることができる。
【００１５】
また、支持部は、踏み板に対して分離可能に構成されているのがよい。これによれば、例えば、複数の簡易ステップを搬送する場合には、踏み板と支持部とを分離して、踏み板板厚方向に重ねることで、梱包をコンパクトにすることができる。
【００１６】
また、本考案において、補強部材の両外側面のうち一方に一対の対向板のうち一方を重ねて重なり部が構成され、短尺部が重なり部を貫通し、長尺部が補強部材を貫通し、長尺部の補強部材から突出した先端部分には、コイルばねが装着されて、コイルばねが、短尺部の先端を連結部から離れる方向に付勢しているのがよい。これによれば、踏み板と支持部とを固定する場合には、コイルばねの付勢に抗して、連結部を重なり部から離れる方向に引っ張って、長尺部を軸として回転させることで短尺部を変位させて、短尺部を重なり部に貫通させる。即ち、短尺部の先端を重なり部に形成された貫通孔と対向する位置に位置付けて、当該貫通孔に進入させる。こうして、短尺部が貫通孔に抜止めされつつ、踏み板と支持部とを固定することができる。
【００１７】
また、踏み板と支持部との固定を解除する場合には、コイルばねの付勢に抗して、連結部を重なり部から離れる方向に引っ張って、短尺部を重なり部に形成された貫通孔から引き抜き、長尺部の軸を中心として回転させることで短尺部の先端が貫通孔に対向しない位置に変位させる。こうして、踏み板と支持部との固定を解除する。このように、コイルばねの付勢に抗して、連結部を重なり部から離れる方向に引っ張って、短尺部の位置を、貫通孔に対向する位置と、貫通孔に対向しない位置と、に変位させる一つの動作（ワンタッチ）で、踏み板と支持部との固定及び踏み板と支持部との固定を解除することができる。
【００１８】
さらに、本考案において、Ｌ字ピンが貫通孔に進入した状態で、Ｌ字ピンを軸として踏み板を上方に回転させた際に、支持金具は、一対の側板間に左右の縁部を進入させつつ、当接板に左右の縁部の下面を当接させてもよい。これによれば、Ｌ字ピンが貫通孔に進入した状態で、Ｌ字ピンを軸として踏み板を回転させる簡単な作業で、支持部により踏み板を所定の位置に確実に支持させることができる。
【００１９】
また、本考案において、係止部が、踏み板の前方の縁部の左右の両端部に一対設けられ、踏み板の前方の縁部から係止部と同じ方向に突出して設けられた位置決め部を備え、支持部が、踏み板より下側の位置で縦パイプに当接するパイプ受けを備え、一対の係止部が横パイプを係止した状態で横パイプを軸として踏み板及び支持部を下方に回転させた際に、パイプ受けは縦パイプに当接するのがよい。これによれば、位置決め部により、踏み板が枠組みの横パイプの所定の位置に位置決めされる。踏み板を横パイプの所定の位置に位置決めすることで、パイプ受けが横パイプを軸として回転された際に、縦パイプに当接する位置に位置している。即ち、位置決め部により踏み板を横パイプの所定の位置に位置決めすることで、パイプ受けを縦パイプに当接させることができるから、簡易ステップを枠組みに組み付ける際の組付け作業性の向上を図ることができる。
【００２０】
さらに、本考案において、踏み板が、四角形状に設けられ、踏み板は、当該踏み板の後方の縁部から後方に突出して設けられたコ字状の持ち手を有し、持ち手は、後方の縁部の左右の中央部に設けられているのがよい。これによれば、持ち手を持って、位置決め部で横パイプに対して位置決めしつつ、係止部で横パイプを係止して、横パイプを軸として簡易ステップを回転させることで、パイプ受けに縦パイプが当接して、簡易ステップを枠組みに組み付ける。即ち、持ち方を替えることなく簡易ステップを枠組みに組み付けることができる。また、持ち手があることで、持ち手を握って簡易ステップを持ち運びつつ、持ち運ぶ際と持ち方を替えることなく簡易ステップを枠組みに組み付けることができる。従って、組付け作業性の向上を図ることができる。
【図面の簡単な説明】
【００２１】
【図１】本考案の一実施の形態にかかる簡易ステップが枠組みに組み付けられた足場構造であって、作業員が作業をする様子を示す斜視図である。
【図２】足場構造を図１とは別の方向から見た斜視図である。
【図３】足場構造を図２とは別の方向から見た斜視図である。
【図４】図１に示された簡易ステップを構成する踏み板の上面図である。
【図５】図４に示された踏み板の側面図である。
【図６】図４中のＩ−Ｉ線に沿う断面図である。
【図７】図１に示された簡易ステップを構成する支持部を示す上面図である。
【図８】図７に示された支持部の側面図である。
【図９】図１に示された足場構造の側面図である。
【図１０】図１に示された足場構造の変形例を示す側面図である。
【考案を実施するための形態】
【００２２】
以下、本考案の例示的一態様である足場構造を、図１〜図９を参照して説明する。簡易ステップを有する足場構造は、図１等に示すように、建築物（図示しない）の建築工事や改修工事をする際、例えば、従来の足場構造を組むためのスペースが確保できない場合に、作業員の足場を確保するためのものである。この簡易ステップ１は、作業員が片手で持つことが可能な重さかつ一人の作業員が乗れる程度の大きさになるように構成されている。
【００２３】
足場構造は、図１から図３に示すように、枠組み１１と、この枠組み１１に係脱可能に構成された簡易ステップ１と、を備えて構成されている。
【００２４】
枠組み１１は、図１から図３に示すように、軸が略上下（鉛直）方向に延在するように支持されるとともに図示しない建築物の周囲に沿って間隔をあけて設けられた複数の縦パイプ１２と、軸が略左右（水平）方向に延在するように支持されるとともに上下に間隔をあけて設けられた複数の横パイプ１３と、縦パイプ１２と横パイプ１３とが交差した部分を固定する複数の固定具１４と、を備えて構成されている。
【００２５】
本明細書では、縦パイプ１２の軸方向（略鉛直方向）を矢印Ｙで示し、横パイプ１３の軸方向（略水平方向の一方向）を矢印Ｘで示し、これら矢印Ｙと矢印Ｘとの双方に直交する方向略水平方向の一方向に直交する他方向）を矢印Ｚで示す。また、本明細書では、矢印Ｙ方向を「高さ方向」と記し、矢印Ｘ方向を「左右方向Ｘ」と記し、矢印Ｚ方向を「前後方向」と記す場合がある。
【００２６】
簡易ステップ１は、図２、図３に示すように、長方形状の踏み板２と、踏み板２から突出して設けられて横パイプ１３に係止する一対の係止部４と、踏み板２を横パイプ１３に対して位置決める位置決め部５と、持ち手６と、縦パイプ１２に当接することで踏み板２を支持するブラケット７（支持部）と、を有して構成されている。この簡易ステップ１は、枠組み１１に組み付けられた状態（以下、組付け状態と記す）で、踏み板２の長辺方向が矢印Ｘ方向に沿い、踏み板２の短辺方向が矢印Ｚ方向に沿い、踏み板２の厚さ方向が矢印Ｙに沿う位置に設けられている。なお、本実施形態では、横パイプ１３が縦パイプ１２に対して矢印Ｚ方向の一方側（後方側）に設けられ、組付け状態で、簡易ステップ１の踏み板２が、横パイプ１３の後方側に位置する場合を一例として説明する。
【００２７】
踏み板２は、図３に示すように、金網みから構成される長方形状の滑止め板２０と、この滑止め板２０を支持する板補強部２１と、を有して構成されている。
【００２８】
板補強部２１は、図３に示すように、滑止め板２０を搭載する板搭載部２２と、滑止め板２０の前後の縁部を覆う前後の縁構成部３Ａ、３Ｂと、滑止め板２０の左右の縁部を覆う左右の縁構成部３Ｃ、３Ｄと、を有して構成されている。前後の縁構成部３Ａ、３Ｂは、組付け状態で、枠組み１１に近い側の前方側縁構成部３Ａ（前方の縁部）と、枠組み１１から後方に離隔した側の後方側縁構成部３Ｂ（後方の縁部）と、を有して構成されている。
【００２９】
板搭載部２２は、２本の補強部材２３、２４が交差した上面視十字状に形成されている。各補強部材２３、２４は、板金が断面視コ字状となるように曲げられて構成されているとともに、組付け状態で、で、コ字状の開口が下方（滑止め板２０と反対側）を向くように設けられている。板搭載部２２は、２本の補強部材２３、２４の交差部が、滑止め板２０の中央部に位置するように設けられている。これら２本の補強部材２３、２４のうち一方は、滑止め板２０の前後の中央部において前後に延在して設けられ、他方は、滑止め板２０の左右の中央部において左右に延在して設けられている。以下では、２本の補強部材のうち一方を「前後に延在する補強部材２３」と記し、他方を「左右に延在する補強部材２４」と記す。
【００３０】
また、前後に延在する補強部材２３は、左右に対向する壁部２３Ａ、２３Ｂを有している。これらの壁部２３Ａ、２３Ｂには、後述するピン固定構造８３のピン材８６の長尺部８Ｂを進入させるための長尺部貫通孔２５が形成されている。長尺部貫通孔２５は、一対の壁部２３Ａ、２３Ｂを左右に貫通する貫通孔から構成されている。
【００３１】
前方側縁構成部３Ａ及び後方側縁構成部３Ｂは、それぞれ、一枚の板金が曲げられて形成されたものであり、図３、図４に示すように、滑止め板２０の前後の縁部を搭載させる面を有する縁搭載部３０と、縁搭載部３０の外縁から折れ曲がって上方に向かい、さらに折れ曲がって滑止め板２０の前後の縁部を覆うＬ字状の額縁部３１と、縁搭載部３０の内縁から折れ曲がって下方に向かい、さらに折れ曲がって前後に延在する補強部材２３の前後の端部を覆うＬ字状の補強部材覆い部３２（図３に示す）と、を有して構成されている。
【００３２】
左右の縁構成部３Ｃ、３Ｄは、図５、図６に示すように、それぞれ、滑止め板２０の左右の縁部を搭載させる面を有する縁搭載部３３（図６に示す）と、縁搭載部の外縁から折れ曲がって上方に向かい、さらに折れ曲がって滑止め板２０の左右の縁部を覆う額縁部３４と、縁搭載部の内縁から折れ曲がって垂直に下がる下垂部３５と、下垂部３５の下端から折れ曲がって外方に延在する下端部３６と、を有して構成されている。下垂部３５には、ブラケット７の掛け金具ピン７５（Ｌ字ピン）を進入させる軸孔３ａ（図５に示す）が形成されている。軸孔３ａは、下垂部３５を左右に貫通する貫通孔から構成されている。
【００３３】
係止部４は、図４、図５に示すように、横パイプ１３の外周に沿うＣ字状の弧状部４０と、左右の縁構成部３Ｃ、３Ｄの下垂部３５にボルト固定される長方形状の固定板４１と、を備えて構成されている。
【００３４】
弧状部４０は、第１湾曲板４Ａと、第２湾曲板４Ｂと、を有し、これら第１湾曲板４Ａ及び第２湾曲板４Ｂの一部同士が重ねられて、下方に開口するＣ字状に構成されている。第１湾曲板４Ａ及び固定板４１は、板金を打ち抜いて一体に形成されている。
【００３５】
第２湾曲板４Ｂには、図５に示すように、当該第２湾曲板４Ｂを貫通する２つの長孔４２が形成されている。２つの長孔４２は、第２湾曲板４Ｂの湾曲方向に沿って一列に並んで形成されている。第２湾曲板４Ｂは、各長孔４２に第１湾曲板４Ａからから突出するピンＰが挿入されて、第１湾曲板４Ａに対して長孔４２の延在方向に移動自在に設けられている。
【００３６】
このような係止部４が横パイプ１３を係止した状態では、図９に示すように、第２湾曲板４Ｂは、ピンＰは、各長孔４２の各上端に位置している。こうして、横パイプ１３の外周に沿った弧状部４０が形成されて、横パイプ１３を十分に係止する。図９は、足場構造の側面図であり、足場構造１０を左右の一方側から見た図であり、簡易ステップ１の内部構造を透過して示す図である。
【００３７】
位置決め部５は、図４に示すように、踏み板２の前方側縁構成部３Ａの左右の中央部に設けられているとともに、固定具１４を左右の間に位置させるように左右に離間した一対の位置決め片５０から構成されている。各位置決め片５０は、基端部が前方側縁構成部３Ａに固定され、他端が前方側縁構成部３Ａから前方に突出して設けられている。位置決め部５は、係止部４が横パイプ１３を係止した状態で、各位置決め片５０の先端部が横パイプ１３から出っ張らないような長さに形成されている。各位置決め片５０は、板金がＬ字に曲げられて形成されたものであり、先端部が左右方向Ｘに先細となるように切り欠かれた上面視台形状に形成されている。
【００３８】
また、位置決め部５は、図２に示すように、一対の位置決め片５０間に固定具１４が位置し、一対の係止部４が横パイプ１３を係止した状態で横パイプ１３を軸として踏み板２及びブラケット７を回転された際に、ブラケット７のパイプ受け７１が縦パイプ１２に当接する位置にある。従って、位置決め部５により踏み板２を横パイプ１３の所定の位置に位置決めし、横パイプ１３を軸として踏み板２及びブラケット７を回転させることで、パイプ受け７１を縦パイプ１２に当接させることができる。
【００３９】
持ち手６は、図４に示すように、断面丸形の金属部材がコ字状に曲げられて形成されたものであり、コ字状の両端部が、踏み板２の後方側縁構成部３Ｂの下面に固定されている。この持ち手６は、踏み板２の後方側縁構成部３Ｂの左右の中央部に、当該後方側縁構成部３Ｂから後方に突出して設けられている。
【００４０】
このような持ち手６が形成されていることにより、作業員は、持ち手６を握り、位置決め部５により踏み板２の横パイプ１３に対する左右の位置を位置決めしつつ、係止部４で横パイプ１３を係止して、横パイプ１３を軸として簡易ステップ１を回転させることで、縦パイプ１２にパイプ受け７１が当接して、簡易ステップ１が枠組み１１に組み付けられる。即ち、持ち方を替えることなく簡易ステップ１を枠組み１１に組み付けることができる。また、持ち手６があることで、持ち手６を握って簡易ステップ１を持ち運びつつ、持ち運ぶ際と持ち方を替えることなく簡易ステップ１を枠組み１１に組み付けることができる。
【００４１】
ブラケット７は、図７〜図９に示すように、踏み板２を支持する三角形状のブラケット本体７０と、ブラケット本体７０を補強する補強構造８（図９に示す）と、を有して構成されている。
【００４２】
ブラケット本体７０は、図７、図８に示すように、踏み板２より下方の位置で縦パイプ１２に当接するパイプ受け７１と、パイプ受け７１を介して各下端が固定され、各上端が左右方向Ｘに離隔した一対の斜材パイプ７２と、一対の斜材パイプ７２の各上端に固定されて左右の縁構成部３Ｃ、３Ｄを支持する一対の掛け金具７３（支持金具）と、棒状に設けられてその両端が各掛け金具７３に固定された掛け金具つなぎ７４（図７に示す）と、基端が各掛け金具７３に固定され、踏み板２の左右の縁構成部３Ｃ、３Ｄに形成された軸孔３ａ（図５に示す）に進入するＬ字状の掛け金具ピン７５（Ｌ字ピン）と、を備えて構成されている。
【００４３】
パイプ受け７１は、板金が曲げられて形成されたものであり、縦パイプ１２の外周に沿う略Ｃ字状に形成されて、縦パイプ１２に当接することで当該パイプ受け７１を支持するように構成されている。また、パイプ受け７１には、一対の斜材パイプ７２の各下端が固定されている。
【００４４】
一対の斜材パイプ７２の各上端には、後述する掛け金具７３が固定され、踏み板２における左右の縁構成部３Ｃ、３Ｄを、各掛け金具７３を介して支持するように構成されている。
【００４５】
一対の掛け金具７３は、板金がコ字状に曲げられて形成されたものである。各掛け金具７３は、左右に対向する一対の側板７３Ａ、７３Ｂと、一対の側板７３Ａ、７３Ｂ間に連続されるとともに左右の縁構成部３Ｃ、３Ｄの下端部３６に当接する当接板７３Ｃを備えている。一対の側板７３Ａ、７３Ｂ間の寸法は、左右の縁構成部３Ｃ、３Ｄの下端部３６の左右の寸法よりも僅かに大きくなるように形成され、簡易ステップ１の組立て状態において、一対の掛け金具７３は、左右の縁構成部３Ｃ、３Ｄの各下垂部３５を一対の側板７３Ａ、７３Ｂ間に進入させて、左右の縁構成部３Ｃ、３Ｄの各下端部３６を当接板７３Ｃに当接させることで、踏み板２を所定の格好に支持している。
【００４６】
掛け金具ピン７５は、各掛け金具７３の一方の側板７３Ａの外面（他方の側板７３Ｂと反対側の面）に固定されるピン固定部７５Ａと、先端部が他方の側板７３Ｂに向かうように折れ曲がって左右の縁構成部３Ｃ、３Ｄの各下垂部３５に形成された軸孔３ａに進入するピン進入部７５Ｂと、を備えて構成されている。
【００４７】
このようなブラケット本体７０は、ピン進入部７５Ｂが踏み板２の左右の一方側から軸孔３ａに近付けられて進入した状態で、ピン進入部７５Ｂを軸として踏み板２を回転させることで、左右の縁構成部３Ｃ、３Ｄの各下垂部３５が一対の側板７７間に進入して、左右の縁構成部３Ｃ、３Ｄの各下端部３６に当接板７３Ｃに当接する。こうして、左右の縁構成部３Ｃ、３Ｄの左右方向Ｘの移動が抑制されつつ、踏み板２が所定の格好に支持される。
【００４８】
補強構造８は、図７〜図９に示すように、棒状に設けられてその両端が各斜材パイプ７２に固定された斜材パイプつなぎ８１（図７に示す）と、斜材パイプつなぎ８１の左右方向Ｘの中間部から立ち上がる垂直金具８２（図８に示す）と、垂直金具８２の上端部を踏み板２に固定するためのピン固定構造８３と、を有して構成されている。
【００４９】
斜材パイプつなぎ８１は、図７に示すように、長尺状に設けられてその両端が各斜材パイプ７２の軸方向の中央部に固定されている。この斜材パイプつなぎ８１には、後述する垂直金具８２が、垂直金具取付材８４を介してボルト固定されている。
【００５０】
垂直金具８２は、板金がコ字状に曲げられて形成されたものであり、組付け状態で、コ字状の開口が後方を向くように設けられている。
【００５１】
ピン固定構造８３は、図３、図９に示すように、垂直金具８２の上端に設けられて当該垂直金具８２を踏み板２の前後に延在する補強部材２３に固定するための接続金具８５と、フック状のピン材８６と、ピン材８６を付勢するコイルばね８７（図３に示す）と、を備えて構成されている。
【００５２】
接続金具８５は、図３、図８に示すように、板金が曲げられてコ字状に形成されたものであり、左右に対向する一対の対向板８５Ａ、８５Ｂ（図３に示す）と、一対の対向板８５Ａ、８５Ｂ間に連続される連続板８５Ｃと、を備えている。一対の対向板８５Ａ、８５Ｂは、前後に延在する補強部材２３の壁部２３Ａ、２３Ｂの一対の外側面２３Ａ、２３Ｂ（壁部２３Ａ、２３Ｂと同一符号を付す）に重ねて設けられている。
【００５３】
ピン材８６は、図４に示すように、互いに平行に設けられた短尺部８Ａ及び長尺部８Ｂと、短尺部８Ａと長尺部８Ｂとを連結する連結部８Ｃと、を備えて構成されている。長尺部８Ｂの連結部８Ｃから離れた端部には、コイルばね８７が取り付けられている。
【００５４】
コイルばね８７は、一端が長尺部８Ｂの先端に固定され、他端が長尺部８Ｂの軸方向に移動自在に取り付けられている。そして、コイルばね８７が取り付けられた状態で、ピン材８６の連結部８Ｃを、接続金具８５の一方の対向板８５Ａに押し付けつつ、短尺部８Ａの先端を連結部８Ｃから離れた側に付勢している。
【００５５】
このようなピン固定構造８３は、図３に示すように、前後に延在する補強部材２３の一の外側面２３Ａ、２３Ｂのうち一方の外側面２３Ａに、一対の対向板８５Ａ、８５Ｂのうち一方の対向板８５Ａを重ねて構成された重なり部８８を有している。重なり部８８には、短尺部８Ａを貫通させる短尺部貫通孔８８ａ設けられている。
【００５６】
また、ピン固定構造８３は、短尺部８Ａが、短尺部貫通孔８８ａに進入することで重なり部８８を貫通し、長尺部８Ｂが、前後に延在する補強部材２３に形成された長尺部貫通孔２５に進入することで補強部材２３を貫通した状態で、長尺部８Ｂの補強部材２３から突出した先端部分には、コイルばね８７が装着されて、コイルばね８７が、短尺部８Ａの先端を連結部８Ｃから離れる方向に付勢している。こうして、コイルばね８７により、短尺部８Ａが短尺部貫通孔８８ａに抜け止めされつつ、踏み板２の補強部材２３とブラケット７とが固定されている。
【００５７】
このようにピン固定構造８３は、踏み板２の前後に延在する補強部材２３とブラケット７とを固定する場合には、コイルばね８７の付勢に抗して、連結部７Ｃを重なり部８８から離れる方向に引っ張って、長尺部８Ｂの軸を中心として回転させて、短尺部８Ａを重なり部８８に貫通させる。即ち、短尺部８Ａの先端を重なり部８８に形成された短尺部貫通孔８８ａと対向する位置に位置付けて進入させる。こうして、踏み板２の補強部材２３とブラケット７とを固定する。また、踏み板２の補強部材２３とブラケット７とを固定を解除する場合には、コイルばね８７の付勢に抗して、連結部８Ｃを重なり部８８から離れる方向に引っ張って、短尺部８Ａを重なり部８８に形成された短尺部貫通孔８８ａから引き抜き、長尺部８Ｂの軸を中心として回転させて、短尺部８Ａの先端が短尺部貫通孔８８ａに対向しない位置に変位させる。このように、コイルばね８７の付勢に抗して、連結部８Ｃを重なり部８８から離れる方向に引っ張って、短尺部８Ａの位置を、短尺部貫通孔８８ａに対向する位置と、短尺部貫通孔８８ａに対向しない位置と、に変位させる一つの動作（ワンタッチ）で、踏み板２の補強部材２３とブラケット７とを固定と固定解除を成すことができる。
【００５８】
次に、簡易ステップ１を組み立てる手順について図３、図９を参照して説明する。予め、垂直金具８２の下端は斜材パイプつなぎ８１にボルト固定されている。また、ピン固定構造８３は、ピン材８６の長尺部８Ｂが長尺部貫通孔２５に進入することで補強部材２３を貫通した状態で、長尺部８Ｂの補強部材２３から突出した部分に、コイルばね８７が装着されている。短尺部８Ａは、短尺部貫通孔８８ａに対向しない位置にあり、前後に延在する補強部材２３とブラケット７とは固定されていない。
【００５９】
最初に、一対の掛け金具ピン７５の各先端を、左右の縁構成部３Ｃ、３Ｄの軸孔３ａに左右の一方側から近付ける。一対の掛け金具ピン７５の各ピン進入部７５Ｂが各軸孔３ａに進入する。この状態で、各ピン進入部７５Ｂを中心として踏み板２を回転させる。左右の縁構成部３Ｃ、３Ｄの各下垂部３５が一対の側板７３Ａ、７３Ｂ間に進入し、左右の縁構成部３Ｃ、３Ｄの各下端部３６に当接板７３Ｃが当接する。こうして、踏み板２が所定の格好に支持される。
【００６０】
この後、コイルばね８７の付勢に抗して、連結部７Ｃを重なり部８８から離れる方向に引っ張って、短尺部８Ａの先端を重なり部８８に形成された短尺部貫通孔８８ａと対向する位置に位置付けて進入させる。こうして、踏み板２の補強部材２３とブラケット７とを固定して、簡易ステップ１を組み立てる。
【００６１】
このようにして組み立てた簡易ステップ１は、踏み板２の上面に作業員の手のひらが対向する向きで、持ち手６を握る。そして、作業員が昇降移動する。作業員の所望の位置で、枠組み１１の固定具１４を一対の位置決め片５０間に位置付け、一対の係止部４が横パイプ１３を係止する。この状態で、横パイプ１３を軸として踏み板２を下方に回転させる。パイプ受け７１が縦パイプ１２に当接して当該縦パイプ１２を支持する。踏み板２が所定の格好に支持される。こうして、簡易ステップ１を枠組み１１に組み付ける。
【００６２】
続いて、簡易ステップ１を枠組み１１から取り外す手順について説明する。作業員が、持ち手６を握り、横パイプ１３を軸として踏み板２を上方に回転させる。パイプ受け７１が縦パイプ１２から離間して、パイプ受け７１の縦パイプ１２に対する当接が解除される。この状態のまま、簡易ステップ１を持ち上げる。すると、係止部４の開口から横パイプ１３が弧状部４０の外側に移動して、係止部４の横パイプ１３に対する係止が解除される。こうして、簡易ステップ１を枠組み１１から取り外す。
【００６３】
次に、簡易ステップ１を分解する手順について説明する。コイルばね８７の付勢に抗して、連結部８Ｃを重なり部８８から離れる方向に引っ張って、短尺部８Ａを重なり部８８に形成された短尺部貫通孔８８ａから引き抜き、短尺部８Ａの先端を短尺部貫通孔８８ａに対向しない位置に変位させる。こうして、踏み板２の補強部材２３とブラケット７とを固定する。
【００６４】
そして、持ち手６を所定の向きで握り、踏み板２を軸孔３ａに進入した進入ピン７５Ｂを軸として上方に回転させる。すると、左右の縁構成部３Ｃ、３Ｄの各下垂部３５が一対の側板７７間から抜け出て、左右の縁構成部３Ｃ、３Ｄの各下端部３６から当接板７３Ｃが離間する。このように掛け金具７３と踏み板２の左右の縁構成部３Ｃ、３Ｄとが離間した状態で、踏み板２を左右の他方側に動かして、進入ピン７５Ｂを軸孔３ａから引き抜く。こうして、踏み板２がブラケット７に対して分離する。
【００６５】
この後、複数の簡易ステップ１を運搬する場合には、分離した踏み板２同士、ブラケット７同士をそれぞれ梱包する。この際、踏み板２を板厚方向（矢印Ｙ方向）に重ねることで、梱包をコンパクトにすることができる。
【００６６】
上述した実施形態によれば、横パイプ１３に係止部４を係止させ、縦パイプ１２にブラケット７（支持部）を当接させる簡単な作業で、踏み板２が支持される。即ち、簡易な足場を得ることができる。そして、従来技術の足場構造を組むためのスペースが確保できない場合であっても、縦パイプ１２及び横パイプ１３から成る枠組み１１に簡易ステップ１を装着することで、作業員の足場を確保することができる。こうして、作業員の足場が安定するから、作業効率の向上と安全を図ることができる。
【００６７】
なお、本考案は、前記実施形態に限定されるものではなく、本考案の目的が達成できる他の構成等を含み、以下に示すような変形等も本考案に含まれる。例えば、前記実施形態では、踏み板２の補強部材２３とブラケット７とがピン固定構造８３により固定された場合を例示したが、本考案はこれに限定されるものではない。踏み板２の補強部材２３とブラケット７とがボルト固定されていてもよい。この場合には、ピン材８６の代わりにボルトとナットを用いて、踏み板２の補強部材２３とブラケット７とが固定されていてもよい。また、踏み板２の補強部材２３とブラケット７とが溶接等の周知の固定方法を用いて固定されていてもよい。このようにして簡易ステップは、踏み板２がブラケット７に対して分解不能に構成されていてもよい。
【００６８】
また、上述した実施形態では、横パイプ１３が、縦パイプ１２の矢印Ｚ方向の一方側（後方側）に設けられ、組付け状態で、簡易ステップ１の踏み板２が、横パイプ１３の後方側に位置した場合を例示したが、本考案はこれに限定されるものではない。図１０に示すように、縦パイプ１２の前方側（矢印Ｚ方向の他方側）に横パイプ１３´が設けられ、簡易ステップ１´の係止部４が、縦パイプ１２を跨いで横パイプ１３´を係止するように、枠組み１１´に、簡易ステップ１´が組み付けられていてもよい。即ち、横パイプ１３´、縦パイプ１２、踏み板２の順で位置するように、簡易ステップ１´は、枠組み１１´に組み付けられていてもよい。この場合には、簡易ステップ１´は、係止部４の弧状部４０が、縦パイプ１２を跨いで横パイプ１３´を係止するように構成されていてもよい。図１０は、図１に示された足場構造の変形例を示す側面図であり、前記実施形態と同一の構造乃至機能を示す部材には、同一符号を付してその説明を省略する。
【００６９】
前述した各実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の簡易ステップ、及び足場構造の構成を具備する限り、勿論、本考案の範疇に含まれるものである。
【符号の説明】
【００７０】
１、１´         簡易ステップ
１０             足場構造
１１、１１´     枠組み
１２             縦パイプ
１３、１３´     横パイプ
２               踏み板
３Ａ             前方側縁構成部（踏み板の前方の縁部）
３Ｂ             後方側縁構成部（踏み板の後方の縁部）
３Ｃ、３Ｄ       左右の縁構成部（踏み板の左右の縁部）
４                係止部
５                位置決め部
６                持ち手
７                支持部
２３              前後に延在する補強部材（補強部材）
２３Ａ、２３Ｂ    壁部の両外側面
７１              パイプ受け
７２            （一対の）斜材パイプ
７３             掛け金具（支持金具）
７５             掛け金具ピン（Ｌ字ピン）
８３             ピン固定構造
８５Ａ、８５Ｂ  （一対の）対向板
８６             ピン材
８７             コイルばね
８Ａ             短尺部
８Ｂ             長尺部
８Ｃ             連結部
【図１】
0003204520.tif 000003
【図２】
0003204520.tif 000004
【図３】
0003204520.tif 000005
【図４】
0003204520.tif 000006
【図５】
0003204520.tif 000007
【図６】
0003204520.tif 000008
【図７】
0003204520.tif 000009
【図８】
0003204520.tif 000010
【図９】
0003204520.tif 000011
【図１０】
0003204520.tif 000012